(57)【要約】【課題】複数のドーターボードから成る差込みユニットが、該差込みユニットのために設けられているのではないマザーボード領域に差し込まれることを確実に阻止する。【解決手段】規定の差込み間隔をおいて配置された２つのプリント基板差込みコネクタ３の間に、１つのロックブロック１０が挿入されており、該ロックブロック１０に係止舌片１５が設けられており、プリント基板差込みコネクタ３がその側面に複数の窓状の切欠き４を有していて、該切欠きにロックブロック１０の係止舌片１５が係止されていて、ロックブロック１０が、差込みユニット２０としてまとめられたドーターボード２のマザーボード１への差込みを阻止している。【選択図】図３
2008147192.tif 000002
【特許請求の範囲】
【請求項１】
マザーボード（１）へのドーターボード（２）の差込みエラーを防止するロック装置であって、特に、複数のドーターボード（２）が１つの差込みユニット（２０）にまとめられていて、マザーボード（１）において少なくとも２つのプリント基板差込みコネクタ（３）と接触接続する形式のものにおいて、
規定の差込み間隔をおいて配置された２つのプリント基板差込みコネクタ（３）の間に、１つのロックブロック（１０）が挿入されており、
該ロックブロック（１０）に係止舌片（１５）が設けられており、
プリント基板差込みコネクタ（３）がその側面に複数の窓状の切欠き（４）を有していて、該切欠き（４）にロックブロック（１０）の係止舌片（１５）が係止されていて、ロックブロック（１０が、差込みユニット（２０）としてまとめられたドーターボード（２）のマザーボード（１）への差込みを阻止していることを特徴とする、プリント基板差込みコネクタにおける差込みエラーを防止するロック装置。
【請求項２】
プリント基板差込みコネクタ（３）の側面における窓状の切欠き（４）が、長手方向リブ（５）と該長手方向リブと直交する横方向リブ（６）とを用いて形成される、請求項１記載のロック装置。
【請求項３】
ロックブロック（１０）の係止舌片（１５）が部分的にくさび状の切欠き（１６）を有している、請求項１記載のロック装置。
【請求項４】
係止舌片（１５）の間に、段部（１４）を備えた真ん中の支え（１３）が設けられている、請求項１記載のロック装置。
【請求項５】
係止されたロックブロック（１０）が、２つの係止舌片（１５）のくさび状の切欠き（１６）に挿入される扁平な工具を用いて、係止舌片（１５）の曲げ戻しによって、プリント基板差込みコネクタ（３）の長手方向リブ（５）に対してロック解除可能である、請求項１記載のロック装置。
【請求項６】
ロックブロック（１０）が、単数又は複数の切欠き（２４）との関連において、差込みユニット（２０）のドーターボード（２）のうちの少なくとも１つにおける差込み側に、差込みユニット（２０）のコード化のために設けられている、請求項１記載のロック装置。
【発明の詳細な説明】
【技術分野】
【０００１】
本発明は、マザーボードへのドーターボードの差込みエラーを防止するロック装置であって、特に、複数のドーターボードが１つの差込みユニットにまとめられていて、マザーボードにおいて少なくとも２つのプリント基板差込みコネクタと接触接続する形式のものに関する。
【０００２】
このような形式の装置は、同じ形式の多数のプリント基板差込みコネクタを有しているマザーボードにおいて、１つの差込みユニットにまとめられた単数又は複数のドーターボードが、このシステム構成のために設けられているのではなくかつ場合によってはシステム故障の原因となるマザーボード領域に差し込まれることを阻止するために、必要である。
【背景技術】
【０００３】
マイクロＴＣＡシステムに配属された同一型式のプリント基板差込みコネクタを備えた大型のバックプレーンシステム、つまり大きなマザーボードでは、異なった２つの形式のモジュール差込みコネクタを差し込むことができる。一方のシステムは「Advanced Mezzanine Card (AMCs)」と呼ばれ、他方のシステムは「Mezzanines with Auxiliary Connections (Multitongue-AMCs)」という名で公知であり、これはMicro TCA-Carrier-Hub-Module をも受容している (MCＨ)。
【０００４】
Multitongue-AMC−モジュールは、導体カードに多数の信号接点が設けられているプリント基板を備えたカードエッジ差込みコネクタであり、従って信号をさらに導くためにマザーボードにおいて別体の２つの差込み領域が必要である。
【０００５】
さらに２つのドーターボードがまとめられている場合には、３つ又は４つの差込み領域が必要になることがあり、これらの差込み領域は同数のプリント基板差込みコネクタを介してその信号を、バックプレーンに伝達する。
【０００６】
この場合まとめられたドーターボードはカードエッジコネクタとしてその導体路端部を介して直接差し込まれるか又は、いわゆるマルチプル・プリント基板・差込みアタッチメントを用いて、マザーボードにおけるプリント基板差込みコネクタに差し込まれることができる。
【０００７】
このマルチプル・プリント基板・差込みアタッチメントは別個に製造され、プリント基板と接続され、そしてバックプレーンにおけるプリント基板差込みコネクタと接触接続する。
【０００８】
AMCsのため及びMultitongue-AMCsのためのマザーボードにおけるプリント基板差込みコネクタは同じであるが、異なった接点配列（Kontaktbelegung）を有しているので、差込みエラー、つまり許されないプリント基板コネクタ領域における差込みを確実に回避することが必要である。
【発明の開示】
【発明が解決しようとする課題】
【０００９】
ゆえに本発明の課題は、複数のドーターボードから成る差込みユニットが、該差込みユニットのために設けられているのではないマザーボード領域に差し込まれることを確実に阻止することである。
【課題を解決するための手段】
【００１０】
この課題を解決するために本発明の構成では、規定の差込み間隔をおいて配置された２つのプリント基板差込みコネクタの間に、１つのロックブロックが挿入されており、該ロックブロックに係止舌片が設けられており、プリント基板差込みコネクタがその側面に複数の窓状の切欠きを有していて、該切欠きにロックブロックの係止舌片が係止されていて、ロックブロックが、差込みユニットとしてまとめられたドーターボードのマザーボードへの差込みを阻止している。
【００１１】
本発明の別の有利な構成は、請求項２〜６に記載されている。
【発明の効果】
【００１２】
マザーボードに差込み可能な単数又は複数のドーターボードから多数の信号を伝達するためには、原則的に２つの接触接続可能性が与えられており、この２つの接触接続可能性は１つには、マザーボードにおけるプリント基板差込みコネクタへのドーターボードの導体路端部の直接的な差込みであり、他の接触接続可能性は、ドーターボードと堅く結合されていてプリント基板差込みコネクタに差し込まれる付加的な差込みコネクタを利用した差込みである。
【００１３】
互いに並んで又はサンドイッチ状に互いに上下に配置された信号接点の数が、もはや差込みコネクタによって伝達され得ない場合には、マルチプル・プリント基板・差込みアタッチメントと呼ばれる、階段状に段階付けられた差込みコネクタの複合体が使用される。
【００１４】
多くの使用例において大型のマザーボードでは、同様なプリント基板差込みコネクタが異なった接点配列を有しているので、マザーボードが誤った差込み箇所に差し込まれ、システムを完全に損傷してしなうおそれがある。
【００１５】
このような誤った差込み領域をロックするために、プリント基板差込みコネクタの規定の差込み間隔の中間室には、ドーターボード差込みユニットの差込みエラーを阻止するロックエレメントが挿入されている。
【００１６】
そのために本発明の有利な構成では、バックプレーン又はマザーボードにおけるプリント基板差込みコネクタがその側面に窓状の切欠きを備えており、これらの切欠きが、長手方向リブと該長手方向リブと直交する横方向リブとを用いて形成される。
【００１７】
さらに、設けられたロックエレメントは有利にはフレキシブルな係止舌片を有しており、これらの係止舌片は、挿入時に２つのプリント基板差込みコネクタの間において長手方向リブにおいて係止し、これによって差込みユニットの差込みを阻止する。
【００１８】
互いに異なった間隔をおいて配置されたプリント基板差込みコネクタの間にも挿入することができる、コード化ブロックのために、種々様々なサイズを設定することができる。
【発明を実施するための最良の形態】
【００１９】
次に図面を参照しながら本発明の実施の形態を説明する。
【００２０】
図１には、プリント基板差込みコネクタ３の側面が側面図で示されており、図面には４つの窓状の切欠き４が見える。
【００２１】
これらの窓状の切欠き４は、鉛直方向に延在する複数の横方向リブ６と該横方向リブに直交していて水平方向に延在する長手方向リブ５とによって成形された凹設部として形成されている。
【００２２】
図２ａ，図２ｂには本発明によるロックブロック（Blockierblock）が示されている。この場合図２ａは、ロックブロックを示す斜視図であり、図２ｂはロックブロックを上から見た平面図である。
【００２３】
ロックブロック１０は直方体の基本形状を有していて、中空体として形成されている。側面１１の両側には、外方に向かって突出していて三辺が露出している各２つの係止舌片１５が形成されており、各２つの係止舌片１５は真ん中の支え（Strebe）１３によって切り離されている。
【００２４】
さらに係止舌片１５のそれぞれには、真ん中の支え１３の両側に、部分的にくさび状の切欠き１６が設けられている。
【００２５】
この領域において真ん中の支え１３は、段部１４の分だけ側面１１の残りのレベルに対して引っ込められている。
【００２６】
さらに４つの角隅面には突出部１７が一体成形されており、これらの突出部１７は、ロックブロックの挿入時に、２つのプリント基板差込みコネクタ３の間において水平な長手方向リブ５の上に位置決めされて留まるのに対して、係止舌片１５は長手方向リブ５の下において窓状の切欠き４のうちの１つにおいて係止される（図３参照）。
【００２７】
係止されたロックブロックを再び除去できるようにするために、真ん中の支え１３に隣接する２つの係止舌片１５の一部は、くさび状に切り欠かれている。真ん中の支え１３が引っ込んでいるので、差込みスリット１８が生ぜしめられており、この差込みスリット１８には、相応な工具例えばねじ回しの先端を挿入することができ、その結果それぞれ互いに隣接する２つの係止舌片１５を曲げ戻してロックブロックを除去することができる。
【００２８】
図３には、互いに平行に配置された複数のプリント基板差込みコネクタ３が平面図で示されており、これらのプリント基板差込みコネクタ３の間にはそれぞれロックブロック１０が挿入されている。この場合、規定のボードバージョンの差込みを阻止するために、４つの可能な窓状の切欠きのうちのどの切欠きにロックブロック１０が挿入されるかは、原則的に問題にならない。
【００２９】
図４には、図３に示された互いに間隔をおいてマザーボード１に配置された複数のプリント基板差込みコネクタ３が断面図で示されており、この場合差込みコネクタ３の間にはロックブロック１０が挿入されている。
【００３０】
この場合図４から、係止舌片１５の端部が水平な長手方向リブ５に係止されている様子が明らかである。
【００３１】
図４からはさらに、挿入されたロックブロック１０が、複数のドーターボードを有する差込みユニット２０の差込みを効果的に阻止している様子も明らかである。
【００３２】
ドーターボード２は直接的な差込みのためにカードエッジコネクタ（Kartenrandstecker）として形成されていても、又は１つのマルチプル・プリント基板・差込みアタッチメント（Mehrfach-Leiterplatten-Steckaufsatz）２２にまとめられていてもよい。
【００３３】
個々のドーターボードはこの場合もちろん問題なく差し込まれることができる。
【００３４】
プリント基板差込みコネクタ３に成形された窓状の切欠き４と少なくとも１つのロックブロック１０とを用いて、しかしながらまた、差込みユニット２０をコード化することも可能である（図５参照）。
【００３５】
この場合図示の差込みユニット２０では３つのドーターボード２がまとめられており、これらのドーターボード２は、プリント基板差込みコネクタ３への直接的な差込みのために設けられていて、真ん中のドーターボードは切欠き２４を有している。
【００３６】
図示のマザーボード１には、２つのプリント基板差込みコネクタ３と、両プリント基板差込みコネクタ３の間に係止されているロックブロック１０とが配置されている。
【００３７】
この差込みユニット２０は問題なく差し込まれることができる。それというのは、ロックブロック１０は真ん中のドーターボード２の切欠き２４内に正確に嵌め込まれるからである。この際にこの差込みユニットでは、真ん中のドーターボードがその信号を、隣接した両プリント基板を介してさらに導くことが保証されている。
【００３８】
これによって、真ん中のドーターボードが切欠きを有していない場合に与えられている、ロックブロックの本来のロック機能にもかかわらず、このただ１つの差込みユニットだけを差し込むことができる。
【図面の簡単な説明】
【００３９】
【図１】プリント基板差込みコネクタを示す図である。
【図２ａ】ロックブロックを示す斜視図である。
【図２ｂ】ロックブロックを示す平面図である。
【図３】複数のプリント基板差込みコネクタとその間に配置されたロックブロックとを示す平面図である。
【図４】図３に示されたプリント基板差込みコネクタ及びロックブロックを示す断面図である。
【図５】ロックブロックを用いた差込みユニットのコード化を示す斜視図である。
【符号の説明】
【００４０】
１  マザーボード、  ２  ドーターボード、  ３  プリント基板差込みコネクタ、  ４  窓状の切欠き、  ５  長手方向リブ、  ６  横方向リブ、  ７  接点、  １０  ロックブロック、  １１  側面、  １３  支え、  １４  段部、  １５  係止舌片、  １６  切欠き、  １８  差込みスリット、  ２０  差込みユニット、  ２２  マルチプル・プリント基板・差込みアタッチメント、  ２４  切欠き
【図１】
2008147192.tif 000003
【図２ａ】
2008147192.tif 000004
【図２ｂ】
2008147192.tif 000005
【図３】
2008147192.tif 000006
【図４】
2008147192.tif 000007
【図５】
2008147192.tif 000008